(57)【要約】【課題】カバー部材をリール本体にガタつきなく装着する。【解決手段】リール本体１と、リール本体１の後部に設けられたカバー装着部２０と、カバー装着部２０に装着されリール本体１の後部を覆うカバー部材１０と、を備え、カバー部材１０は、カバー装着部２０に後方から当て付けられる第１当て付け部と、カバー装着部２０に左右両側方から当て付けられる第２当て付け部と、を備え、第１当て付け部および第２当て付け部を介してカバー装着部２０にカバー部材１０が装着された状態で、リール本体１の左右側面におけるカバー装着部２０の境界部分２０ａ，２０ｂとカバー部材１０の左右側縁部１２ａ２、１２ｂ２、１１ｃ２との間には、溝状の隙間部Ｓ１、Ｓ２が形成されている構成とした。【選択図】図３
2015188409.tif 000002
【特許請求の範囲】
【請求項１】
リール本体と、前記リール本体の後部に設けられたカバー装着部と、前記カバー装着部に装着され前記リール本体の後部を覆うカバー部材と、を備えた魚釣用スピニングリールであって、
前記カバー部材は、
前記カバー装着部に後方から当て付けられる第１当て付け部と、前記カバー装着部に左右両側方から当て付けられる第２当て付け部と、を備えており、
前記第１当て付け部および前記第２当て付け部を介して前記カバー装着部に前記カバー部材が装着された状態で、前記リール本体の左右側面における前記カバー装着部の境界部分と前記カバー部材の左右側縁部との間には、溝状の隙間部が形成されていることを特徴とする魚釣用スピニングリール。
【請求項２】
前記第１当て付け部は、前記カバー部材の上下方向の少なくとも２箇所に設けられていることを特徴とする請求項１に記載の魚釣用スピニングリール。
【請求項３】
前記第２当て付け部は、前記カバー部材の上下方向の略中間部分に設けられていることを特徴とする請求項１または請求項２に記載の魚釣用スピニングリール。
【請求項４】
前記カバー部材の左右側縁部は、面取りされていることを特徴とする請求項１から請求項３のいずれか１項に記載の魚釣用スピニングリール。
【発明の詳細な説明】
【技術分野】
【０００１】
本発明は、魚釣用スピニングリールに関するものである。
【背景技術】
【０００２】
従来、リール本体の後部を保護する目的で、リール本体の後部をカバー部材で覆った魚釣用スピニングリールが知られている（例えば、特許文献１参照）。
特許文献１の魚釣用スピニングリールでは、リール本体の後部に設けられたカバー装着部にカバー部材が装着されている。リール本体の下部には、フック状の係合部が設けられており、この係合部にカバー部材の前端部が支持されるように構成されている。カバー部材には、係合部との接触でカバー部材をリール本体の境界部分に偏倚させる案内面が形成されている。
【０００３】
この魚釣用スピニングリールでは、カバー部材を固定する際に、カバー部材の前端部を係合部に係合させてねじで締め付ける。そうすると、案内面が係合部に押されて、カバー部がリール本体の左右側面におけるカバー装着部の境界部分に向けて偏倚する。これによって、カバー部材の側縁部がリール本体の境界部分に近付き、側縁部と境界部分との間隙が低減された状態でカバー部材がリール本体に固定される。
【先行技術文献】
【特許文献】
【０００４】
【特許文献１】実開平６−１３４７１号公報
【発明の概要】
【発明が解決しようとする課題】
【０００５】
しかしながら、前記特許文献１の魚釣用スピニングリールでは、カバー部材の側縁部の大部分が境界部分（リール本体）に沿ってリール本体に合わさる構造であるため、境界部分に対してカバー部材の側縁部を精度よく突き合わせることが難しかった。このため、突き合わせ部分に段差や隙間が生じ易く、リール本体に対してカバー部材がガタつくおそれがあった。
【０００６】
本発明は、前記課題を解決するためになされたものであり、カバー部材をリール本体にガタつきなく装着することができる魚釣用スピニングリールを提供することを目的とする。
【課題を解決するための手段】
【０００７】
前記目的を達成するために本発明の魚釣用スピニングリールは、リール本体と、前記リール本体の後部に設けられたカバー装着部と、前記カバー装着部に装着され前記リール本体の後部を覆うカバー部材と、を備えた魚釣用スピニングリールであって、前記カバー部材は、前記カバー装着部に後方から当て付けられる第１当て付け部と、前記カバー装着部に左右両側方から当て付けられる第２当て付け部と、を備えており、前記第１当て付け部および前記第２当て付け部を介して前記カバー装着部に前記カバー部材が装着された状態で、前記リール本体の左右側面における前記カバー装着部の境界部分と前記カバー部材の左右側縁部との間には、溝状の隙間部が形成されていることを特徴とする。
【０００８】
この魚釣用スピニングリールによれば、カバー部材は、第１当て付け部および第２当て付け部によって、リール本体の後部に２つの方向から当て付けられて位置決めされる。そして、カバー部材は、カバー装着部の境界部分に対してカバー部材の左右側縁部が溝状の隙間部を空けた状態で装着される。
【０００９】
また、本発明は、「前記第１当て付け部は、前記カバー部材の上下方向の少なくとも２箇所に設けられている」ことを特徴とする。
【００１０】
この魚釣用スピニングリールによれば、カバー部材の上下方向の少なくとも２箇所をカバー装着部に後方から当て付けて装着することができる。
【００１１】
また、本発明は、「前記第２当て付け部は、前記カバー部材の上下方向の略中間部分に設けられている」ことを特徴とする。
【００１２】
この魚釣用スピニングリールによれば、カバー部材の上下方向の略中間部分をカバー装着部に左右両側方から当て付けて装着することができる。
【００１３】
また、本発明は、「前記カバー部材の左右側縁部は、面取りされている」ことを特徴とする。
【００１４】
この魚釣用スピニングリールによれば、カバー部材に釣糸が接触した際の糸絡みのリスクを低減することができる。
【発明の効果】
【００１５】
本発明によれば、第１当て付け部および第２当て付け部をカバー装着部に当て付けることでカバー部材が位置決めされるので、カバー部材の組付性に優れる。
また、カバー部材は、リール本体の後部に２つの方向から当て付けられて位置決めされるので、ガタつきが好適に抑制された状態でリール本体に装着される。
さらに、カバー装着部の境界部分に対してカバー部材の左右側縁部が溝状の隙間部を空けた状態で装着されるので、境界部分に対してカバー部材の左右側縁部が突き合わされることがない。したがって、カバー部材をリール本体にガタつきなく装着することができる。
【００１６】
また、第１当て付け部によって、カバー部材の上下方向の少なくとも２箇所をカバー装着部に位置決めすることができるので、安定した状態でカバー部材を装着することができる。
【００１７】
また、第２当て付け部によって、カバー部材の上下方向の略中間部分をカバー装着部に左右両側方から当て付けて装着することができるので、左右方向のガタつきを好適に抑えつつ、安定した状態でカバー部材を装着することができる。
【００１８】
また、カバー部材の左右側縁部の面取りによって、カバー部材に釣糸が接触した際の糸絡みのリスクを低減することができるので、糸絡みによる操作のロスを低減することができる。したがって、魚釣操作性に優れる。
【図面の簡単な説明】
【００１９】
【図１】本発明の一実施形態に係る魚釣用スピニングリールの全体構成を示す図である。
【図２】リール本体の後部の構造を示す構造図である、
【図３】（ａ）はリール本体の後部からカバー部材を取り外した状態を示す側面図、（ｂ）は同じくリール本体の後部にカバー部材を装着した状態を示す側面図である。
【図４】（ａ）はリール本体の後部からカバー部材を取り外した状態を示す後面図、（ｂ）は同じくリール本体の後部にカバー部材を装着した状態を示す後面図である。
【図５】カバー部材を示す図であり、（ａ）は正面図、（ｂ）は側面図、（ｃ）は後面図、（ｄ）は下面図である。
【図６】（ａ）はカバー部材の装着状態を断面で示した説明図、（ｂ）はカバー部材の縦断面図である。
【図７】（ａ）は図６（ａ）のＡ−Ａ線拡大断面図、（ｂ）は図６（ａ）のＢ−Ｂ線拡大断面図である。
【図８】（ａ）は図６（ａ）のＣ−Ｃ線拡大断面図、（ｂ）は図６（ａ）のＤ−Ｄ線断面図である。
【図９】（ａ）は図６（ａ）のＥ−Ｅ線拡大断面図、（ｂ）は図６（ａ）のＦ−Ｆ線断面図、（ｃ）は図６（ａ）のＧ−Ｇ線断面図である。
【図１０】カバー部材の変形例を示すリール本体の後部の側面図である。
【発明を実施するための形態】
【００２０】
以下、本発明に係る魚釣用スピニングリールの実施形態について図面を参照して説明する。実施形態において、同一の部分には同一の符号を付し、重複する説明は省略する。なお、以下の説明において、「前後」「上下」を言うときは、図１に示した方向を基準とする。また、図３、図４、図６（ａ）において、ハンドル軸およびその支持構造は省略している。
【００２１】
図１に示すように、主として、魚釣用スピニングリールは、リール本体１と、リール本体１の前方に回転可能に設けられたロータ３と、このロータ３の回転運動と同期して前後方向移動可能に設けられたスプール４とを有している。リール本体１の後部には、リール本体１の下端から後端に亘って広く覆うように、所定の肉厚を有するカバー部材１０が取り付けられている。
【００２２】
リール本体１は、軽量化が図れる材料、例えば、アルミニウム合金、チタン合金、マグネシウム合金等の金属や、ＡＢＳ樹脂、ＰＡ樹脂等の高強度樹脂や、ＣＦＲＰ、ＧＦＲＰ等の繊維強化樹脂等で剛性構造に形成されている。リール本体１には、必要に応じて、その表面に外観を向上するための装飾層が施されている。リール本体１は、一側に開口する内部空間ＳＰ（図２参照）が形成されるリールボディ１ａと、この内部空間ＳＰを閉じる蓋体１ｂとを有している。
【００２３】
リールボディ１ａには、上方へ延出する脚部１ｃが設けられている。脚部１ｃの先端部（上端部）には、図示しない釣竿に固定される竿取付部１ｄが前後一体に形成されている。
蓋体１ｂは、リールボディ１ａの開口端に配置された適宜の位置決め部材を介して正確に位置決めされる。本実施形態では、３本のねじ１ｅ（図１参照）を締付けることにより蓋体１ｂがリールボディ１ａに固定される。リールボディ１ａおよび蓋体１ｂには、図示しない軸受部材がそれぞれ配置されており、これらの軸受部材を介してハンドル軸２ａ（図２参照）が回転可能に支持されている。ハンドル軸２ａの突出端部には、ハンドル２が取り付けられている。
【００２４】
内部空間ＳＰ内には、図２に示すように、ハンドル軸２ａに一体的に形成されたドライブギヤ２ｂが配置されている。ドライブギヤ２ｂにより、図示しない巻取駆動機構のピニオンギヤを介してロータ３が回転駆動される。また、これに同期して、スプール往復動装置を構成している連動歯車５ａが回転され、この連動歯車５ａの偏心位置に設けたピン（図示しない）が摺動体５ｂのカム溝（図示しない）内を移動しつつ摺動体５ｂおよびスプール軸５を往復動する。このスプール軸５は、リールボディ１ａに一体的に形成されて内部空間ＳＰ内に配置される支持部材５ｃ，５ｄで案内されつつ、先端に配置したスプール４（図１参照）とともに前後動する。各部材は、剛性構造のリールボディ１ａおよび蓋体１ｂにより、滑らかな動作が確保される。
【００２５】
このような魚釣用スピニングリールにおいて、ハンドル２を回転操作すると、ハンドル軸２ａが回転され、スプール往復動装置を介してスプール４が前後に往復動するとともに、巻取駆動機構を介してロータ３が回転駆動される。これにより、スプール４の巻回胴部４ａには、釣糸案内部を介して、釣糸が均等に巻回される。ハンドル２は、図に示す左側位置から、必要に応じて反対側に付け替えることができる。
【００２６】
リール本体１の後部には、図３（ａ）に示すように、カバー装着部２０が設けられている。カバー装着部２０には、図３（ｂ）に示すように、カバー部材１０が着脱可能に取り付けられる。
カバー部材１０は、全体的に略Ｌ字形状を呈している。カバー部材１０は、リール本体１の後部下部に装着される基部１１と、基部１１の後端からリール本体１の後端部に沿って斜め前方上方へ延在する立上り部１２と、を備えている。カバー部材１０は、基部１１に設けられたねじ孔１１０（図２参照）を介して挿通される止めねじ１１１（図２参照）により、カバー装着部２０に取り付けられる。
【００２７】
基部１１は、図３（ａ）（ｂ）に示すように、リール本体１の後部下面の前後方向に沿って下方へ湾曲している。また、基部１１は、図５各図に示すように、扁平に形成されている。図３（ａ）（ｂ）に示すように、基部１１の前端部１０ｂは、カバー装着部２０の下部前壁２２（図３（ａ）参照）に対応する形状とされており、カバー部材１０の装着時に下部前壁２２に対して後方（後方斜め下方）から当て付けられるようになっている。前端部１０ｂには、前方斜め上方へ向けて突出する係合突起１０ｃが形成されている。係合突起１０ｃは、図２に示すように、下部前壁２２（図３（ａ）参照）に設けられた係合穴２２ａに係合可能である。
【００２８】
基部１１の後端部には、図２、図４（ｂ）、図５（ａ）（ｃ）（ｄ）に示すように、ねじ孔１１０が形成されている。ねじ孔１１０は、図２に示すように、カバー部材１０の装着時に、カバー装着部２０に設けられた有底円筒状のボス部２３に対して外嵌される（図７（ｂ）参照）。ねじ孔１１０の口縁には、ボス部２３に螺着される止めねじ１１１の頭部が当接され、止めねじ１１１を締め付けることによって、カバー部材１０がカバー装着部２０に固定される。ねじ孔１１０の口縁部は、ネジ１１１の頭部が基部１１の外面から突出しない深さに形成されている。
【００２９】
基部１１の内面には、図５（ａ）、図８（ａ）に示すように、一対のリブ１１ｃ３，１１ｃ３が突設されている。リブ１１ｃ３は、基部１１の前後方向に沿って延在しており、図６（ａ）、図８（ａ）に示すように、カバー装着部２０の下面１ｆに対向配置される。
なお、リブ１１ｃ３は、下面１ｆに対して当接するように設けてもよいし、下面１ｆに対して当接することなく若干の間隙を有して配置されるようにしてもよい。また、リブ１１ｃ３は、下面１ｆに対して部分的に当接するように設けてもよい。
【００３０】
基部１１の左右側縁部１１ｃ２，１１ｃ２は、図３（ｂ）、図８（ａ）に示すように、カバー装着部２０の境界部分２０ｂ（段差部分）との間に溝状の隙間部Ｓ２を介してそれぞれ対向配置される。つまり、カバー装着部２０にカバー部材１０を装着した状態で、左右側縁部１１ｃ２，１１ｃ２が境界部分２０ｂにそれぞれ当接しないようになっている。
【００３１】
立上り部１２は、図３（ａ）（ｂ）、図５（ｂ）に示すように、外方に突出した弧を画くように上下方向に沿って外方に湾曲している。立上り部１２は、上部１２ａと下部１２ｂとからなる。
上部１２ａは、脚部１ｃに連続してカバー装着部２０を覆う部分である。上部１２ａは、図５（ｃ）に示すように、後方から見て、左右側部１２ａ１，１２ａ１が立上り部１２の中間部分に近づくにつれて左右方向（ハンドル軸２ａ方向）に広がり、その後、幅狭部１２ｃ，１２ｃで左右方向に狭まる形状とされている。幅狭部１２ｃ，１２ｃは、カバー装着部２０にカバー部材１０を装着する際に指で摘む部分となる摘み部（把持部）として機能する。
【００３２】
上部１２ａの上端部１０ａは、カバー装着部２０の上部壁２１（図３（ａ）、図６（ａ）参照）に対応する形状とされており、カバー部材１０の装着時に上部壁２１に対して後方（後方斜め下方）から当て付けられるようになっている。上端部１０ａの内側には、図５（ａ）、図６（ｂ）に示すように、立上り部１２の長手方向に沿う凹溝１０ｅが形成されている。凹溝１０ｅは、図６（ａ）に示すように、カバー装着部２０の上部壁２１の近傍に設けられた突状部１ｈに係合可能である。
【００３３】
上部１２ａは、図９（ｂ）（ｃ）に示すように、断面略三角形状を呈している。上部１２ａの内面には、図５（ａ）、図９（ｂ）（ｃ）に示すように、一対のリブ１２ａ３，１２ａ３と、この一対のリブ１２ａ３，１２ａ３に連続するリブ１２ａ５，１２ａ５とが突設されている。リブ１２ａ３およびリブ１２ａ５は、上部１２ａの延在方向に沿って設けられており、カバー装着部２０の上部後面１ｇに対向配置される。
なお、リブ１２ａ３およびリブ１２ａ５は、上部後面１ｇに対して当接するように設けてもよいし、上部後面１ｇに対して当接することなく若干の間隙を有して配置されるようにしてもよい。また、リブ１２ａ３およびリブ１２ａ５は、上部後面１ｇに対して部分的に当接するように設けてもよい。
【００３４】
上部１２ａの左右側縁部１２ａ２，１２ａ２は、図３（ｂ）、図９（ｂ）（ｃ）に示すように、カバー装着部２０の境界部分２０ａ（段差部分）との間に溝状の隙間部Ｓ１を介してそれぞれ対向配置される。つまり、カバー装着部２０にカバー部材１０を装着した状態で、左右側縁部１２ａ２，１２ａ２が境界部分２０ａにそれぞれ当接しないようになっている。また、カバー部材１０の左右側部１２ａ１，１２ａ１は、図３（ｂ）に示すように、幅狭部１２ｃ，１２ｃを介して、下部１２ｂの左右側部１２ｂ１，１２ｂ１に連続している。
なお、図５（ａ）、図９（ｂ）に示すように、リブ１２ａ３，１２ａ３と左右側縁部１２ａ２，１２ａ２との間には、内側リブ１２ａ４，１２ａ４が設けられている。内側リブ１２ａ４，１２ａ４は、図９（ｂ）に示すように、境界部分２０ａに通じる傾斜部２０ａ１，２０ａ１に対向配置される。
ここで、カバー装着部２０の上部後面１ｇは、図３（ａ）に示すように、カバー装着部２０に凹設されており、下部１２ｂが装着される下部後面１ｆ１より前方に位置している。
また、上部後面１ｇは、図３（ａ）に示すように、中間壁２４を介して下部後面１ｆ１に連続している。中間壁２４は、図３（ｂ）に示すように、左右両側（図では左側のみ図示）から幅狭部１２ｃ，１２ｃで覆われる。
【００３５】
下部１２ｂは、上部１２ａに連続してカバー装着部２０を覆う部分である。下部１２ｂは、図５（ｃ）に示すように、後方から見て、左右側部１２ｂ１，１２ｂ１が左右側方に緩やかに膨出するように湾曲している。
下部１２ｂの下端部は、図５（ｂ）に示すように、基部１１の後端部に連続しており、また、下部１２ｂの左右側部１２ｂ１，１２ｂ１は、図５（ｃ）に示すように、基部１１の左右側部１１ｃ１，１１ｃ１に連続している。
【００３６】
下部１２ｂの内面には、図５（ａ）、図７（ａ）、図８（ｂ）に示すように、一対のリブ１２ｂ３，１２ｂ３が突設されている。リブ１２ｂ３は、下部１２ｂの延在方向に沿って設けられており、図６（ａ）に示すように、カバー装着部２０の下部後面１ｆ１に対向配置される。
なお、リブ１２ｂ３は、下部後面１ｆ１に対して当接するように設けてもよいし、下部後面１ｆ１に対して当接することなく若干の間隙を有して配置されるようにしてもよい。また、リブ１２ｂ３は、下部後面１ｆ１に対して部分的に当接するように設けてもよい。
【００３７】
下部１２ｂの左右側縁部１２ｂ２，１２ｂ２は、図３（ｂ）、図７（ａ）、図８（ｂ）に示すように、カバー装着部２０の境界部分２０ｂ（段差部分）との間に溝状の隙間部Ｓ２を介してそれぞれ対向配置される。つまり、カバー装着部２０にカバー部材１０を装着した状態で、左右側縁部１２ｂ２，１２ｂ２が境界部分２０ｂにそれぞれ当接しないようになっている。溝状の隙間部Ｓ２は、下部１２ｂから基部１１にかけて連続して形成されている。溝状の隙間部Ｓ２は、側面視で略Ｌ字状を呈している。
【００３８】
左右側縁部１２ｂ２，１２ｂ２の内側には、図７（ａ）、図８（ｂ）に示すように、段部１２ｂ５，１２ｂ５が設けられている。段部１２ｂ５，１２ｂ５は、下部後面１ｆ１の角部２０ｂ１，２０ｂ１に対向しており、カバー部材１０の装着時に角部２０ｂ１，２０ｂ１に対して左右両側方から当て付けられる（挟持する）ようになっている。
なお、段部１２ｂ５は、角部２０ｂ１に対して当接することなく若干の間隙を有して配置されるようにしてもよい。また、段部１２ｂ５は、角部２０ｂ１に対して部分的に当接するように設けてもよい。
段部１２ｂ５，１２ｂ５は、特許請求の範囲における「第２当て付け部」に相当する。
【００３９】
また、下部１２ｂの内面には、図９（ａ）に示すように、突出部１０ｄが形成されている。突出部１０ｄは、リール本体１の後部に設けられた支持孔５ｃ１に挿通される。支持孔５ｃ１には、スプール軸５の支持部材５ｃ（図２参照）が前側から挿入されている。
図９（ａ）に示すように、支持孔５ｃ１の側方には、境界部分２０ｂに連続する当接面２０ｂ２，２０ｂ２が設けられている。この当接面２０ｂ２，２０ｂ２には、左右側部１２ｂ１，１２ｂ１の内面が対向している。左右側部１２ｂ１，１２ｂ１の内面は、カバー部材１０の装着時に当接面２０ｂ２，２０ｂ２に対して左右両側方から当て付けられる（挟持する）ようになっている。つまり、立上り部１２の上下方向の略中間部分がカバー装着部２０に対して左右両側方から当て付けられて位置決めされるようになっている。
また、境界部分２０ｂ，２０ｂには、左右側縁部１２ｂ２，１２ｂ２が部分的に当接されている。
本実施形態では、左右側部１２ｂ１，１２ｂ１の前端部がリール本体１の左右側面１ｋから側方に突出する状態に配置される。つまり、カバー部材１０の装着形態にバリエーションをもたせた構成としている。
左右側部１２ｂ１，１２ｂ１の内面は、特許請求の範囲における「第２当て付け部」に相当する。
【００４０】
カバー部材１０の前記した左右側縁部１２ａ２，１２ｂ２，１２ｃ２の角部Ｒは、各図に示すように面取りされている。本実施形態では、角部Ｒをアール状に面取りしたが、これに限られることはなく、面状に面取りしてもよい。
【００４１】
以上のようなカバー部材１０をカバー装着部２０に装着する際には、カバー装着部２０の後方下方からカバー部材１０をカバー装着部２０に近づける。そして、カバー部材１０の立上り部１２の上端部１０ａをカバー装着部２０の上部壁２１に後方から当て付けるとともに、基部１１の前端部１０ｂをカバー装着部２０の下部前壁２２に対して後方から当て付ける。そうすると、図７（ａ）に示すように、立上り部１２の段部１２ｂ５，１２ｂ５が、カバー装着部２０の下部後面１ｆ１の角部２０ｂ１，２０ｂ１に対して左右両側方から当て付けられる。また、図９（ａ）に示すように、立上り部１２の左右側部１２ｂ１，１２ｂ１の内面がカバー装着部２０の当接面２０ｂ２，２０ｂ２に対して左右両側方から当て付けられる。
これによって、カバー部材１０は、リール本体１の後部のカバー装着部２０に前記した２つの方向から当て付けられて位置決めされる。
【００４２】
そして、このように位置決めされた状態で、カバー装着部２０の境界部分２０ａとカバー部材１０の左右側縁部１２ａ２との間には、溝状の隙間部Ｓ１が形成される。また、カバー装着部２０の境界部分２０ｂとカバー部材１０の左右側縁部１２ｂ２，１１ｃ２との間には、溝状の隙間部Ｓ２が形成される。
【００４３】
そして、カバー部材１０は、溝状の隙間部Ｓ１，Ｓ２が形成された状態で、基部１１のねじ孔１１０を介して挿通される止めねじ１１１によって、カバー装着部２０に固定される。
なお、溝状の隙間部Ｓ１，Ｓ２の全長は、境界部分２０ａ，２０ｂの全長の約７０％以上とされることが好ましい。
【００４４】
以上説明した本実施形態の魚釣用スピニングリールによれば、前記した第１当て付け部および第２当て付け部をリール本体１の後部のカバー装着部２０に当て付けることでカバー部材１０が位置決めされるので、カバー部材１０の組付性に優れる。
また、カバー部材１０は、リール本体１の後部に２つの方向から当て付けられて位置決めされるので、ガタつきが好適に抑制された状態でリール本体１に装着される。
さらに、カバー装着部２０の境界部分２０ａ，２０ｂに対して、溝状の隙間部Ｓ１，Ｓ２を空けた状態でカバー部材１０が装着されるので、境界部分２０ａ，２０ｂに対してカバー部材１０の左右側縁部１２ａ２，１２ｂ２，１２ｃ２が突き合わされることがない。したがって、カバー部材１０をリール本体１にガタつきなく装着することができる。
また、このような溝状の隙間部Ｓ１、Ｓ２を有する構成であるので、カバー部材１０の成形用の金型やプレス型を新しく起こした際には、合わせのための型修正が必要最小限の型修正で済む。したがって、コストの低減を図ることができる。
【００４５】
また、前記した第１当て付け部によって、カバー部材１０の上下方向の少なくとも２箇所をカバー装着部２０に位置決めすることができるので、カバー装着部２０に対して安定した状態でカバー部材１０を装着することができる。なお、本実施形態では、カバー部材１０の立上り部１２の上端部１０ａと、基部１１の前端部１０ｂとの２箇所を第１当て付け部としてカバー装着部２０に位置決めするものを示したが、これに限られることはなく、これ以外の部分の２箇所を第１当て付け部として位置決めするように構成してもよい。
【００４６】
また、前記した第２当て付け部によって、カバー部材１０の上下方向の略中間部分をリール本体１の後部のカバー装着部２０に左右両側方から当て付けて装着することができるので、左右方向のガタつきを好適に抑えつつ、カバー装着部２０に対して安定した状態でカバー部材１０を装着することができる。
【００４７】
また、カバー部材１０の左右側縁部１２ａ２，１２ｂ２，１１ｃ２の角部Ｒが面取りされているので、カバー部材１０に図示しない釣糸が接触した際の糸絡みのリスクを低減することができる。したがって、糸絡みによる操作のロスを低減することができ、魚釣操作性に優れる。
【００４８】
また、カバー部材１０は、リール本体１の後端部の左右側面１ｋにカバー部材１０の左右側縁部１２ａ２，１２ｂ２，１１ｃ２がそれぞれかかる状態（側面視でオーバーラップする状態）に装着されるので、リール本体１の後部を好適に覆うことができ、後部が傷付くのを好適に防止することができる。したがって、リール本体１の後部の表面処理層が剥離したり、剥離した部分から腐食が発生したりするのを防止することができる。また、落下等によるリール本体１への衝撃をカバー部材１０で好適に緩和することができる。
さらにまた、溝状の隙間部Ｓ１，Ｓ２にゴミや埃が溜まり難く、海水がかった際にも海水を滞留させる要因とならないので、腐食の発生を誘発してしまうおそれもない。
【００４９】
（第２実施形態）
図１０を参照して第２実施形態の魚釣用スピニングリールについて説明する。本実施形態では、リール本体１の後部角部にカバー装着部２０Ａが設けられている。
カバー装着部２０Ａには、カバー部材１０Ａが装着される。カバー部材１０Ａは、両端部１０ｆ，１０ｇをカバー装着部２０Ａの境界部分２０ｃに突き当てた状態で装着される。装着された状態で、境界部分２０ｃとカバー部材１０Ａの左右両側縁部１０ｈ（片側のみ図示）との間には、溝状の隙間部Ｓ３が形成される。
【００５０】
本実施形態においても、第１実施形態と同様の作用効果が得られる。すなわち、カバー部材１０Ａをリール本体１にガタつきなく装着することができる魚釣用スピニングリールが得られる。
【００５１】
以上、本発明の実施形態について説明したが、本発明は、上記した実施形態に限定されることはなく、種々変形することが可能である。
例えば、溝状の隙間部Ｓ１，Ｓ２，Ｓ３は、カバー部材１０，１０Ａの寸法誤差による境界部分との突き合わせの不具合を吸収することのできる大きさであればよく、任意の全長、任意の幅を備えたものを採用することができる。
また、カバー部材１０，１０Ａの上下方向の２箇所を左右両側方から当て付けて位置決めするように構成してもよい。
【符号の説明】
【００５２】
１      リール本体
１ｋ    左右側面
１０    カバー部材
１０ａ  上端部（第１当て付け部）
１０ｂ  前端部（第２当て付け部）
１１ｃ２  左右側縁部
１２ａ２  左右側縁部
１２ｂ２  左右側縁部
２０    カバー装着部
２０ａ，２０ｂ    境界部分
Ｒ      角部
Ｓ１    隙間部
Ｓ２    隙間部
Ｓ３    隙間部
【図１】
2015188409.tif 000003
【図２】
2015188409.tif 000004
【図３】
2015188409.tif 000005
【図４】
2015188409.tif 000006
【図５】
2015188409.tif 000007
【図６】
2015188409.tif 000008
【図７】
2015188409.tif 000009
【図８】
2015188409.tif 000010
【図９】
2015188409.tif 000011
【図１０】
2015188409.tif 000012